(57)【要約】【課題】墓石に設置する家紋を、耐久性に優れたものとすること、又、見栄えをよくし、墓石の意匠性を高めることを目的とする。又、墓石に格式高い趣を醸し出し、高級感を与えることを目的とする。【解決手段】板状の母材２の前面２１の全面に第一の漆層３が積層され、第一の漆層３の上面３１の全面に金箔層４が積層され、金箔層４の上面４１の一部分に第二の漆層５が積層されて形成され、金箔層４及び第二の漆層５により家紋が表示される紋章表示板１。【選択図】  図２
2013159996.tif 000002
【特許請求の範囲】
【請求項１】
板状の母材の少なくとも前面の全面に第一の漆層が積層され、前記第一の漆層に金箔層が積層されて形成され、紋章が表示されていることを特徴とする紋章表示板。
【請求項２】
前記第一の漆層に金箔層及び第二の漆層が積層されて形成され、前記金箔層及び前記第二の漆層により家紋が表示されていることを特徴とする請求項１に記載の紋章表示板。
【請求項３】
前記金箔層は、前記第一の漆層の上面の全面に形成され、前記金箔層の上面の一部分にに第二の漆層が積層されて形成され、前記金箔層及び前記第二の漆層により紋章が表示されていることを特徴とする請求項２に記載の紋章表示板。
【請求項４】
前記金箔層は、前記第一の漆層の上面の一部分に積層されて形成され、前記第二の漆層は、前記第一の漆層の上面の前記金箔層が形成されていない部分に積層されて形成され、前記金箔層及び前記第二の漆層により紋章が表示されていることを特徴とする請求項２に記載の紋章表示板。
【請求項５】
前記第一の漆層の上面の一部分に金箔層が積層されて形成され、前記第一の漆層及び前記金箔層により紋章が表示されていることを特徴とする請求項１に記載の紋章表示板。
【請求項６】
母材の材質は黄銅であることを特徴とする請求項１から５のうちいずれか１項に記載の紋章表示板。
【請求項７】
板状の母材の少なくとも前面の全面に漆を塗布して、第一の漆層を形成し、前記母材の前面上に形成された前記第一の漆層の上面に金箔を貼付して金箔層を形成することを特徴とする紋章表示板の製造方法。
【請求項８】
前記第一の漆層の上面の全面に金箔を貼付して金箔層を形成し、前記金箔層の上面に第二の漆層を形成することを特徴とする請求項７に記載の紋章表示板の製造方法。
【請求項９】
請求項１から６のうちいずれか１項に記載の紋章表示板を設置したことを特徴とする墓石、墓地関連構造物、記念碑、位牌、仏壇、神棚、門、壁、塀又は瓦から選択される構造物。
【請求項１０】
前記紋章表示板の前面を覆う透明又は半透明の板体を設置したことを特徴とする請求項９に記載の構造物。
【請求項１１】
前記紋章表示板又は前記紋章表示板及び前記板体を前記構造物に形成した凹部に埋設して設置したことを特徴とする請求項１０に記載の構造物。
【請求項１２】
請求項１０に記載の構造物を製造する方法であって、前記構造物に前記紋章表示板を固定し、前記紋章表示板の前面を覆う透明又は半透明の板体を前記構造物に設置することを特徴とする構造物の製造方法。
【請求項１３】
前記構造物に凹部を形成し、該凹部に前記紋章表示板又は前記紋章表示板及び前記板体を埋設することを特徴とする請求項１２に記載の構造物の製造方法。
【発明の詳細な説明】
【技術分野】
【０００１】
本発明は、家紋を含む紋章を表示する紋章表示板及び紋章表示板の製造方法に関し、更には、紋章表示板を付した墓石等の構造物及び紋章表示板を付した墓石等の構造物の製造方法に関する。
【背景技術】
【０００２】
従来から墓石には家名、故人の氏名、戒名や家の紋章である家紋等が表示されている。そして、これら家紋等は、墓石に直接彫り込まれていた（特許文献１、２参照。）。又、墓石に彫り込まれた家紋は、塗料を墓石に直接塗布することにより、着色されているものもあった（特許文献２参照。）。
【０００３】
しかし、墓石に直接彫り込まれている家紋は、屋外にあることから、長年の間の風雨や日光により風化、侵蝕されて家紋の形状が崩れてしまうこと、塗料が剥げ落ち、或いは色あせして、高級感が損なわれると共に見苦しくなってしまうこと、彫り間違えた場合にその石は使用できなくなること等が問題となっていた。
【０００４】
そこで、陶板、陶磁器製の板体に家紋を焼き付け等して製造した板体を、墓石に設けた凹部に埋設したり、墓石に設けた穴に板体の係止部を嵌入したり、更にこれらの方法に加えて接着剤での貼付を併用する等して、墓石に固定することが提案されている（特許文献１、２参照。）。
【先行技術文献】
【特許文献】
【０００５】
【特許文献１】特開２００９−１３８５０８号公報
【特許文献２】実用新案登録第３１４００３３号公報
【発明の概要】
【発明が解決しようとする課題】
【０００６】
しかし、陶磁器製の板体は割れ易く、耐久性に欠け、墓石に固定した後に割れると見栄えが悪くなってしまうという欠点があった。又、陶磁器製の板体に家紋を焼き付けて表示した場合、家紋の構成模様の輪郭やその凹凸の縁部がぼやけて表示され見栄えが悪くなることが多いという問題点があった。又、和風の墓石に陶磁器製の板体を組み合わせると、和風の格式高い趣を損ない、高級感を低下させる場合があり、又、違和感を感じる人もいた。
【０００７】
そこで、本発明は、墓石等の構造物に設置する家紋を含む紋章を、耐久性に優れるものとすることを目的とする。又、他の目的は、墓石等の構造物に設置する家紋等の紋章の見栄えをよくし、紋章が設置された墓石等の構造物の意匠性を高めることを目的とする。又、他の目的は、墓石等の構造物に格式高い趣を醸し出し、高級感を与えることを目的とする。
【課題を解決するための手段】
【０００８】
以上のような従来技術の課題を解決するための本発明は、板状の母材の少なくとも前面の全面に第一の漆層が積層され、前記第一の漆層に金箔層が積層されて形成され、紋章が表示されていることを特徴とする紋章表示板である。
【０００９】
又、上記紋章表示板において、前記第一の漆層に金箔層及び第二の漆層が積層されて形成され、前記金箔層及び前記第二の漆層により家紋が表示されていることを特徴とする紋章表示板である。
【００１０】
又、上記紋章表示板において、前記金箔層は、前記第一の漆層の上面の全面に形成され、前記金箔層の上面の一部分に第二の漆層が積層されて形成され、前記金箔層及び前記第二の漆層により紋章が表示されていることを特徴とする紋章表示板である。
【００１１】
又、上記紋章表示板において、前記金箔層は、前記第一の漆層の上面の一部分に積層されて形成され、前記第二の漆層は、前記第一の漆層の上面の前記金箔層が形成されていない部分に積層されて形成され、前記金箔層及び前記第二の漆層により紋章が表示されていることを特徴とする紋章表示板である。
【００１２】
又、上記紋章表示板において、前記第一の漆層の上面の一部分に金箔層が積層されて形成され、前記第一の漆層及び前記金箔層により紋章が表示されていることを特徴とする紋章表示板である。
【００１３】
又、上記紋章表示板において、母材の材質は黄銅であることを特徴とする紋章表示板である。
【００１４】
更に、板状の母材の少なくとも前面の全面に漆を塗布して、第一の漆層を形成し、前記母材の前面上に形成された前記第一の漆層の上面に金箔を貼付して金箔層を形成することを特徴とする紋章表示板の製造方法である。
【００１５】
又、上記製造方法において、前記第一の漆層の上面の全面に金箔を貼付して金箔層を形成し、前記金箔層の上面に第二の漆層を形成することを特徴とする紋章表示板の製造方法である。
【００１６】
更に、上記の紋章表示板を設置したことを特徴とする墓石、墓地関連構造物、記念碑、位牌、仏壇、神棚、門、壁、塀又は瓦から選択される構造物である。
【００１７】
又、上記構造物において、前記紋章表示板の前面を覆う透明又は半透明の板体を設置したことを特徴とする構造物である。
【００１８】
又、上記構造物において、前記紋章表示板又は前記紋章表示板及び前記板体を前記構造物に形成した凹部に埋設して設置したことを特徴とする構造物である。
【００１９】
更に、上記構造物を製造する方法であって、前記構造物に前記紋章表示板を固定し、前記紋章表示板の前面を覆う透明又は半透明の板体を前記構造物に設置することを特徴とする構造物の製造方法である。
【００２０】
又、上記製造方法において、前記構造物に凹部を形成し、該凹部に前記紋章表示板又は前記紋章表示板及び前記板体を埋設することを特徴とする構造物の製造方法である。
【発明の効果】
【００２１】
以上のような本発明によれば、墓石等の構造物に設置する家紋を含む紋章を、耐久性に優れるものとすることが出来た。又、墓石等の構造物に設置する家紋等の紋章の見栄えをよくし、紋章が設置された墓石等の構造物の意匠性を高めることが出来た。又、紋章が設置された墓石等の構造物に格式高い趣を醸し出し、高級感を与えることが出来た。
【図面の簡単な説明】
【００２２】
【図１】本発明紋章表示板第１実施例斜視図
【図２】図１Ａ−Ａ断面図
【図３】本発明紋章表示板製造工程図
【図４】本発明紋章表示板第２実施例平面図
【図５】図４Ｂ−Ｂ断面図
【図６】本発明紋章表示板第３実施例平面図
【図７】図６Ｃ−Ｃ断面図
【図８】本発明紋章表示板第４実施例平面図
【図９】図８Ｄ−Ｄ断面図
【図１０】本発明紋章表示板第５実施例平面図
【図１１】図１０Ｅ−Ｅ断面図
【図１２】本発明紋章表示板第６実施例平面図
【図１３】図１２Ｆ−Ｆ断面図
【図１４】本発明紋章表示板第７実施例平面図
【図１５】図１４Ｇ−Ｇ断面図
【図１６】本発明紋章表示板を設置した墓石の第１実施例斜視図
【図１７】本発明墓石の第２実施例断面図
【図１８】本発明墓石の第３実施例断面図
【図１９】本発明墓石の第４実施例断面図
【図２０】本発明墓石の第５実施例断面図
【図２１】本発明墓石の第６実施例断面図
【発明を実施するための形態】
【００２３】
以下本発明の実施の形態を図を参照して説明する。尚、以下、紋章表示板に表示される紋章を家紋として説明する。又、図においては、構成を明確にするために、構成要素の長さ、厚さ、及びそれらの比を一部誇張して表示している。紋章表示板１は、図１及び図２に示すように、板状の母材２の前面２１の全面に第一の漆層３が積層され、母材２の前面２１上に形成された第一の漆層３の上面３１の全面に金箔層４が積層され、金箔層４の上面４１に家紋の文様部分Ｍ１、Ｍ２、Ｍ３、Ｍ４の形状の第二の漆層５が積層されて形成されている。第二の漆層５は金箔層４の一部を被覆するが、第二の漆層５が形成されていない部分は、金箔層４が露出するので、家紋の文様以外の地部分Ｎ１は金箔層４で表され、家紋は金箔層４及び第二の漆層５により表示されることとなる。
【００２４】
板状の母材２の平面形状としては、特に限定されず、家紋の輪郭の形状や円形又は方形等を用いることが出来る。
【００２５】
又、母材２の材質は、特に限定されないが、破損しにくい合成樹脂や金属が好ましい。合成樹脂や金属の中でも、劣化しにくく、錆びにくい材質が好ましく、例えば、金属としては、ステンレスや黄銅が好ましく、特に黄銅が好ましい。
【００２６】
尚、第一の漆層３は母材２の前面２１にのみ積層してもよいが、母材２の側面２２及び底面２３を含む全面に積層することが好ましい。このような構成とすることで、母材２が直接風雨や日光に曝されることが無くなり、母材２の劣化を効果的に抑制することが出来る。
【００２７】
第一の漆層３及び第二の漆層５の形成に用いる漆は、精製漆であり、精製時に鉄分を加えない透漆、鉄分を加えた黒漆、透漆に顔料を加えて所定の色を備えた色漆等を用いることが出来、又、有油系でも無油系でもよい。第一の漆層３は、その上面３１の全面には金箔層４が積層されるので、その色彩等は金箔層４に覆われて表示されないので、透漆を用いることが好ましい。
【００２８】
次に、紋章表示板１の製造方法について図３を参照して説明する。先ず、板状の母材２を成形する。母材２の成形方法は、使用する材質によって適した異なる方法を採用することが出来る。例えば、図３に示すように、材質にかかわらず板体２０から打抜いて形成することが出来る（図３（ａ）及び（ｂ））が、材質が合成樹脂の場合、射出成形等での成形時に予め所定の母材の形状に成形することが出来る。
【００２９】
次に、板状の母材２の少なくとも前面２１、好ましくは側面２２及び底面２３を含む全面に漆を塗布して、少なくとも前面２１に第一の漆層３を形成し（図３（ｃ））、母材２の前面２１上に形成された第一の漆層３の上面３１の全面に金箔を貼付して金箔層４を形成する（図３（ｄ））。金箔の貼付は、漆その他の接着剤を用いて行うことが出来るが、第一の漆層３の漆が完全に固化する前に行い、第一の漆層３の漆を接着剤とすることも出来る。
【００３０】
尚、金箔層４の上面４１に樹脂系等のコーティング剤を塗布して、金箔層４を保護することが好ましい。
【００３１】
更に、金箔層４の上面４１に漆で家紋の文様部分Ｍ１、Ｍ２、Ｍ３、Ｍ４を書き、漆で形成された文様部分形状の第二の漆層５が形成される（図３（ｅ））。そして、文様以外の地部分Ｎ１は金箔層４で表される。このようにして、家紋の文様以外の地部分Ｎ１は金箔層４で表され、家紋が金箔層４及び第二の漆層５により表示される紋章表示板１が形成される。
【００３２】
尚、上述のように、第一の漆層３及び第二の漆層５を形成する漆は、透漆、黒漆、透漆に顔料を添加した色漆の何れも用いることが出来る。
【００３３】
又、本発明の紋章表示板は、図４及び図５に示す紋章表示板１１のように、板状の母材２の少なくとも前面２１の全面に第一の漆層３が積層され、第一の漆層３の上面３１の全面に金箔層４が積層され、金箔層４の上面４１に家紋の文様以外の地部分Ｎ２形状の第二の漆層５が積層されている構成とすることが出来る。このような構成とした場合には、家紋の文様部分Ｍ５、Ｍ６、Ｍ７、Ｍ８は金箔層４の上面４１で表示されると共に、家紋の文様以外の地部分Ｎ２は第二の漆層５で表示され、家紋が金箔層４及び第二の漆層５により表示される紋章表示板１１となる。
【００３４】
又、本発明の紋章表示板は図６及び図７に示す紋章表示板１２のように、板状の母材２の少なくとも前面２１の全面に第一の漆層３が積層され、第一の漆層３の上面３１の全面に金箔層４が積層され、金箔層４の上面４１に、家紋の文様部分Ｍ９、Ｍ１０、Ｍ１１、Ｍ１２の輪郭線Ｌを描いた第二の漆層５が積層されている構成とすることが出来る。このような構成とした場合には、家紋の文様以外の地部分Ｎ３及び文様部分Ｍ９、Ｍ１０、Ｍ１１、Ｍ１２は金箔層４の上面４１で表示されると共に、家紋の文様部分Ｍ９、Ｍ１０、Ｍ１１、Ｍ１２の輪郭線Ｌは第二の漆層５で表示され、家紋が金箔層４及び第二の漆層５により表示される紋章表示板１２となる。
【００３５】
又、本発明の紋章表示板は、金箔層４は、第一の漆層３の上面３１の一部分に積層されて形成され、第二の漆層５は、第一の漆層３の上面３１の金箔層４が形成されていない部分に積層されて形成した構成とすることも出来る。
【００３６】
このような形態として、図８及び図９に示す紋章表示板１３のように、板状の母材２の少なくとも前面２１の全面に第一の漆層３が積層され、第一の漆層３の上面３１の家紋の文様部分Ｍ１３、Ｍ１４、Ｍ１５、Ｍ１６のみに金箔層４が積層され、文様以外の地部分Ｎ４に第二の漆層５が積層されている構成とすることが出来る。このような構成とした場合には、家紋の文様部分Ｍ１３、Ｍ１４、Ｍ１５、Ｍ１６は金箔層４の上面４１で表示されると共に、家紋の文様以外の地部分Ｎ４は第二の漆層５で表示され、家紋が金箔層４及び第二の漆層５により表示される紋章表示板１３となる。
【００３７】
又、図１０及び図１１に示す紋章表示板１４のように、板状の母材２の少なくとも前面２１の全面に第一の漆層３が積層され、第一の漆層３の上面３１の家紋の文様以外の地部分Ｎ５のみに金箔層４が積層され、文様部分Ｍ１７、Ｍ１８、Ｍ１９、Ｍ２０に第二の漆層５が積層されている構成とすることが出来る。このような構成とした場合には、家紋の文様以外の地部分Ｎ５は金箔層４の上面４１で表示されると共に、文様部分Ｍ１７、Ｍ１８、Ｍ１９、Ｍ２０は第二の漆層５で表示され、家紋が金箔層４及び第二の漆層５により表示される紋章表示板１４となる。
【００３８】
尚、このような紋章表示板１３、１４の製造時には、金箔層４と第二の漆層５は、何れを先に第一の漆層３の上面３１に形成することとしてもよい。
【００３９】
又、本発明の紋章表示板は、第一の漆層３の上面３１の一部分に金箔層４が積層されて形成され、第一の漆層３及び金箔層４により紋章が表示されている構成とすることも出来る。
【００４０】
このような形態として、図１２及び図１３に示す紋章表示板１５のように、板状の母材２の少なくとも前面２１の全面に第一の漆層３が積層され、第一の漆層３の上面３１の一部分、即ち家紋の文様部分Ｍ２１、Ｍ２２、Ｍ２３、Ｍ２４のみに金箔層４が積層され、上述のような第二の漆層は形成されていない構成とすることが出来る。
【００４１】
このような構成とすることで、家紋の文様以外の地部分Ｎ６は第一の漆層３で表されると共に、文様部分Ｍ２１、Ｍ２２、Ｍ２３、Ｍ２４は金箔層４で表示される。従って、第一の漆層３に使用される漆の色彩、質感等が家紋の文様以外の地部分Ｎ６に表示される。又、色彩を加えない透漆で第一の漆層３を形成した場合には、文様以外の地部分Ｎ６に母材２の質感、色彩が反映されることもある。
【００４２】
又、図１４及び図１５に示す紋章表示板１６のように、板状の母材２の少なくとも前面２１の全面に第一の漆層３が積層され、第一の漆層３の上面３１の一部、即ち家紋の文様以外の地部分Ｎ７のみに金箔層４が積層され、上述のような第二の漆層は形成されていない構成とすることが出来る。
【００４３】
このような構成とすることで、家紋の文様部分Ｍ２５、Ｍ２６、Ｍ２７、Ｍ２８は第一の漆層３で表されると共に、文様以外の地部分Ｎ６は金箔層４で表示される。従って、第一の漆層３に使用される漆の色彩、質感等が文様部分Ｍ２５、Ｍ２６、Ｍ２７、Ｍ２８に表示される。又、色彩を加えない透漆で第一の漆層３を形成した場合には、文様部分Ｍ２５、Ｍ２６、Ｍ２７、Ｍ２８に母材２の質感、色彩が反映されることもある。
【００４４】
このような本発明の紋章表示板は、墓石、墓地に設置される線香立て、花立て、水鉢、灯篭、墓誌石板等の墓地関連構造物、記念碑、位牌、仏壇、神棚、門、壁、塀、瓦等の構造物に設置することが出来る。
【００４５】
本発明の紋章表示板として紋章表示板１を構造物に設置する方法及び構成について、墓石に設置する場合を例にして説明する。
【００４６】
紋章表示板１の裏面１０１に接着材を塗布し、図１６に示すように、墓石７の所定位置に貼り付ける。接着剤は特に限定されないが、漆を用いることが出来る。図１７に示すように、紋章表示板１の墓石７への固定強度を高めるために、紋章表示板１を取り付ける位置に、紋章表示板１を埋め込むための凹部７０を形成し、凹部７０に紋章表示板１を埋設することが好ましい。更に、紋章表示板１の側面１０２と凹部７０の側面７１との間にも接着剤９を充填することが好ましい。
【００４７】
又、接着剤に替えて或いは接着剤９と共に、図１８に示すように、紋章表示板１の裏面１０１に穴１１０を設けると共に墓石７に穴７０１を設け、両穴１１０、７０１に金属製等の棒体６１を挿入して紋章表示板１を墓石７に固定してもよい。
【００４８】
又、紋章表示板１の前面１０２を覆う板体である保護板８を墓石７に取り付けることとしてもよい。このような構成とすることで、風雨や直射日光から家紋表示板１を保護することが出来る。保護板８は、反対側が視認可能な透明又は半透明であれば特に限定されないが、劣化しにくく、耐久性が高い素材で形成したものであることが好ましく、ガラスやアクリル等を使用することが好ましい。
【００４９】
保護板８の取り付け方法として、紋章表示板１の平面形状より大きい平面形状を有する保護板８に孔８１を設けると共に、墓石７の紋章表示板１を取り付ける外側位置に穴７０２を設け、孔８１及び穴７０２にネジ、ボルトやダボ等の棒体６２を挿入して行なうことが出来る。孔８１は保護板８を貫通してもよいが、しなくてもよい。図１９に示すように、紋章表示板１が凹部７０に埋設された構成の場合、保護板８と墓石７との接触面には漆等の接着剤９を塗布して、保護板８の墓石７への固定強度を高めると共に、紋章表示板１を密封して紋章表示板１の劣化を防止することが好ましい。
【００５０】
又、図２０に示すように、保護板８の平面形状を紋章表示板１の平面形状と同一にし、凹部７０の深さＨを紋章表示板１と保護板８を重ねた厚さ以上に形成して、保護板８も凹部７０に埋設し、墓石７の表面７８と保護板８の前面８８を面一に構成してもよい。この場合、保護板８の側面８２と凹部７０の側面７１間に接着剤９を充填して保護板８を墓石７に固定することが出来る。このような構成とすることで、墓石７の外観がすっきりし、シンプルにすることが出来ると共に、保護板８の墓石７への固定強度を高め、紋章表示板１を密封して紋章表示板１の劣化を防止することが可能となる。尚、紋章表示板１と墓石７は上述のように棒体で固定してもよい。
【００５１】
又、図２１に示すように、平面形状が紋章表示板１より大きい保護板８を使用する場合には、墓石７に設ける凹部７０に段差を設け、一段目の凹部７７を紋章表示板１の形状に対応させ、二段目の凹部７８を保護板８の形状に対応させて、紋章表示板１及び保護板８を墓石７に埋設すると共に、上述の何れかの方法で墓石７に固定し、更に保護板８と墓石７の対向する部分に接着剤９を充填することとしてもよい。
【００５２】
又、本発明の構造物は、上述のような実施形態に限定されるものではなく、又、これらの実施形態の形状、構成から適宜選択し、組み替えて、或いは組合わせて構成することが出来る。
【産業上の利用可能性】
【００５３】
以上のような紋章表示板により、墓石等に設置する家紋を耐久性に優れるものとして、現実の使用に耐えうるものとして実用性あるものとし、墓石、位牌、仏壇、神棚、門、壁、塀等の様々な構造物に設置して利用することが出来る。更に、家紋を含む紋章が設置された墓石等の建造物に意匠性を与え、又格式高い趣を醸し出し、高級感を与えるので、紋章表示板の製造、紋章表示板を設置した墓石等の建造物の需要を喚起することが出来る。
【符号の説明】
【００５４】
１      紋章表示板
１１    紋章表示板
１２    紋章表示板
１３    紋章表示板
１４    紋章表示板
１５    紋章表示板
１６    紋章表示板
１１０  穴
２      母材
２０    板体
３      第一の漆層
４      金箔層
５      第二の漆層
７      墓石
７０    凹部
７０１    穴
８      保護板
【図１】
2013159996.tif 000003
【図２】
2013159996.tif 000004
【図３】
2013159996.tif 000005
【図４】
2013159996.tif 000006
【図５】
2013159996.tif 000007
【図６】
2013159996.tif 000008
【図７】
2013159996.tif 000009
【図８】
2013159996.tif 000010
【図９】
2013159996.tif 000011
【図１０】
2013159996.tif 000012
【図１１】
2013159996.tif 000013
【図１２】
2013159996.tif 000014
【図１３】
2013159996.tif 000015
【図１４】
2013159996.tif 000016
【図１５】
2013159996.tif 000017
【図１６】
2013159996.tif 000018
【図１７】
2013159996.tif 000019
【図１８】
2013159996.tif 000020
【図１９】
2013159996.tif 000021
【図２０】
2013159996.tif 000022
【図２１】
2013159996.tif 000023